(57)【要約】【課題】コネクタハウジング内での互いに直交する方向での端子のガタツキを小さく抑えることによって端子と端子の実装先との接続定性を向上することができ、しかも、端子をコネクタハウジング内に圧入し難くなることを防ぐことができるフラット回路体とコネクタの接続構造を提供すること。【解決手段】フラット回路体１０とコネクタの接続構造１において、弾性接触片部８０ａと実装部８０ｂとの間で圧入方向に沿って連続する部分の側方で向かい合う一対の第一対向内壁面７３の各第一対向内壁面に向けて両側部から突出することによって一対の第一対向内壁面７３に接触し、かつ、第一対向内壁面７３に略直交する方向で向かい合う一対の第二対向内壁面７４ｂの一方の第二対向内壁面７４ｂから突出方向に向けて漸次離れる第一の面９３ａ、および他方の第二対向内壁面７４ｃに側部からの突出方向に向けて漸次近づける第二の面９３ｂを形成する一対の突出圧入部９３を有する。【選択図】図１
2017004859.tif 000002
【特許請求の範囲】
【請求項１】
フラット回路体の端末部をコネクタのコネクタハウジング内にスライドしながら挿入することによって、前記端末部に形成した電極と、前記コネクタハウジング内の端子圧入配置部に圧入固定する圧入固定部から前記電極に向けて傾斜状に延びることで前記電極に弾性的に接触する部分となる弾性接触片部、および、圧入固定部を間にして前記弾性接触片部とは逆側に前記コネクタハウジングの固定先に実装する部分となる実装部を含む端子と、を接続するフラット回路体とコネクタの接続構造において、
前記圧入固定部は、
前記端子圧入配置部に圧入固定した状態で、前記弾性接触片部と前記実装部との間で圧入方向に沿って連続する部分の側方で向かい合う前記端子圧入配置部の一対の第一対向内壁面の各第一対向内壁面に向けて両側部から突出することによって前記一対の第一対向内壁面に接触し、かつ、前記第一対向内壁面に略直交する方向で向かい合う前記端子圧入配置部の一対の第二対向内壁面の一方の第二対向内壁面から前記側部からの突出方向に向けて漸次離れる第一の面、および、他方の前記第二対向内壁面に前記側部からの突出方向に向けて漸次近づける第二の面を形成する一対の突出圧入部
を有することを特徴とするフラット回路体とコネクタの接続構造。
【請求項２】
前記圧入固定部は、
前記一対の突出圧入部を形成した部分の断面が略Ｕ字形状である
ことを特徴とする請求項１に記載のフラット回路体とコネクタの接続構造。
【請求項３】
前記コネクタハウジングは、
固定先に固定金具によって固定し、前記固定金具を間にして互いに逆方向に突出し、かつ、該コネクタハウジングの底面の一部を構成する少なくとも一対の回転防止リブを有する
ことを特徴とする請求項１または２に記載のフラット回路体とコネクタの接続構造。
【発明の詳細な説明】
【技術分野】
【０００１】
本発明は、フラット回路体の端末部に形成した電極とコネクタハウジング内の端子を接続するフラット回路体とコネクタの接続構造に関する。
【背景技術】
【０００２】
従来、フレキシブルプリント配線板（ＦＰＣ：Ｆｌｅｘｉｂｌｅ  Ｐｒｉｎｔｅｄ  Ｃｉｒｃｕｉｔ）、あるいは、フレキシブルフラットケーブル等のフラット回路体をコネクタに接続するフラット回路体とコネクタの接続構造としては、フラット回路体の端末部をコネクタのコネクタハウジング内にスライドしながら挿入することによってフラット回路体の端末部に形成した電極とコネクタハウジング内の端子とを接続するようにしている。
【０００３】
例えば、特許文献１には、フラット回路体の端末部をコネクタのコネクタハウジング内にスライドしながら挿入することによって、端末部の下面に形成した電極と、コネクタハウジング内の端子圧入配置部に圧入固定する圧入固定部から電極に向けて傾斜状に延びることで電極に弾性的に接触する部分となる弾性接触片部、および、圧入固定部を間にして弾性接触片部とは逆側にコネクタハウジングの固定先に実装する部分となる実装部を含む端子と、を接続するフラット回路体とコネクタの接続構造が記載されている。
【先行技術文献】
【特許文献】
【０００４】
【特許文献１】特開２０１１−１３４５８２号公報
【発明の概要】
【発明が解決しようとする課題】
【０００５】
しかしながら、図１０に示すように、端子３００を実装先に実装する前に、フラット回路体４００をコネクタハウジング５００内に挿入すると、弾性接触片部３１０にフラット回路体４００の端末部から下方に荷重が負荷されるため、実装部３３０が圧入固定部３２０を支点として上方に傾くおそれがあり、端子３００の実装が困難になり、結果的に、端子３００と端子の実装先との接続安定性が低下してしまうおそれがあった。
【０００６】
このような問題を解消するため、端子圧入配置部と端子との間の上下方向での隙間を小さく抑えることによって、端子の上下方向でのガタツキを小さく抑えることが考えられるが、端子圧入配置部に端子を圧入する際に端子が端子圧入配置部の内壁面に干渉しやすくなり、結果的に、端子をコネクタハウジング内に圧入し難くなるという問題があった。
【０００７】
本発明は、上記に鑑みてなされたものであって、コネクタハウジング内での互いに直交する方向での端子のガタツキを小さく抑えることによって端子と端子の実装先との接続定性を向上することができ、しかも、端子をコネクタハウジング内に圧入し難くなることを防ぐことができるフラット回路体とコネクタの接続構造を提供することを目的とする。
【課題を解決するための手段】
【０００８】
上述した課題を解決し、目的を達成するために、本発明の請求項１に係るフラット回路体とコネクタの接続構造は、フラット回路体の端末部をコネクタのコネクタハウジング内にスライドしながら挿入することによって、前記端末部に形成した電極と、前記コネクタハウジング内の端子圧入配置部に圧入固定する圧入固定部から前記電極に向けて傾斜状に延びることで前記電極に弾性的に接触する部分となる弾性接触片部、および、圧入固定部を間にして前記弾性接触片部とは逆側に前記コネクタハウジングの固定先に実装する部分となる実装部を含む端子と、を接続するフラット回路体とコネクタの接続構造において、前記圧入固定部は、前記端子圧入配置部に圧入固定した状態で、前記弾性接触片部と前記実装部との間で圧入方向に沿って連続する部分の側方で向かい合う前記端子圧入配置部の一対の第一対向内壁面の各第一対向内壁面に向けて両側部から突出することによって前記一対の第一対向内壁面に接触し、かつ、前記第一対向内壁面に略直交する方向で向かい合う前記端子圧入配置部の一対の第二対向内壁面の一方の第二対向内壁面から前記側部からの突出方向に向けて漸次離れる第一の面、および、他方の前記第二対向内壁面に前記側部からの突出方向に向けて漸次近づける第二の面を形成する一対の突出圧入部を有することを特徴とする。
【０００９】
また、本発明の請求項２に係るフラット回路体とコネクタの接続構造は、上記の発明において、前記圧入固定部は、前記一対の突出圧入部を形成した部分の断面が略Ｕ字形状であることを特徴とする。
【００１０】
また、本発明の請求項３に係るフラット回路体とコネクタの接続構造は、上記の発明において、前記コネクタハウジングは、固定先に固定金具によって固定し、前記固定金具を間にして互いに逆方向に突出し、かつ、該コネクタハウジングの底面の一部を構成する少なくとも一対の回転防止リブを有することを特徴とする。
【発明の効果】
【００１１】
本発明の請求項１に係るフラット回路体とコネクタの接続構造は、前記圧入固定部が前記一対の突出圧入部が互いに逆向きに側方に突出してそれぞれ前記第一対向内壁面に接触しつつ、前記一対の突出圧入部の間の部分が前記一対の第二対向内壁面の一方の面に対峙する面を形成し、かつ、前記他方の第二対向内壁面に対峙する面を前記突出方向に向けて前記他方の第二対向内壁面に漸次近づけることによって、前記第二対向内壁面が向かい合う方向で前記端子圧入配置部との隙間が小さくなるようにし、しかも、前記一対の第二対向内壁面のそれぞれに接触する面の面積を小さく抑えるようにしているため、前記端子圧入配置部に前記端子を圧入する際に前記端子が前記端子圧入配置部の内壁面に干渉し難くなっているので、コネクタハウジング内で互いに直交する方向での端子のガタツキを小さく抑えることによって端子と端子の実装先との接続定性を向上することができ、しかも、端子をコネクタハウジング内に圧入し難くなることを防ぐことができる。
【００１２】
本発明の請求項２に係るフラット回路体とコネクタの接続構造は、前記圧入固定部の前記一対の突出圧入部を形成した部分を曲げ加工によって容易に成形することができる。
【００１３】
本発明の請求項３に係るフラット回路体とコネクタの接続構造は、前記一対の回転防止リブが、前記固定金具を間にして互いに逆方向に突出し、かつ、前記コネクタハウジングの底面の一部を構成することによって、前記固定金具を間にして前記コネクタハウジングの固定先への接地面積を拡大しているため、前記コネクタハウジングが前記固定金具を支点として回転しようとした場合、左右それぞれの回転方向に対して前記一対の回転防止リブのそれぞれの底面が回転を阻止するように固定先に当接するようになっているので、前記端子が固定先に半田付けされている場合であっても、前記コネクタハウジングの回転による前記端子への負荷によって半田が損傷することを防ぐことができ、結果的に、前記端子と固定先との電気的接続の低下を防止することができる。
【図面の簡単な説明】
【００１４】
【図１】図１は、（ａ）が本発明の実施例に係るフラット回路体とコネクタの接続構造の分解斜視図であり、（ｂ）が（ａ）に示した端子の拡大斜視図である。
【図２】図２は、電極と端子を接続完了した状態のフラット回路体およびコネクタの側面図である。
【図３】図３は、（ａ）がコネクタハウジングをフラット回路体の挿入側とは逆側から視た図であり、（ｂ）が（ａ）の端子圧入配置部周辺を拡大した図である。
【図４】図４は、図２（ｂ）に対応した端子圧入配置部に端子を圧入固定した端子圧入配置部周辺の拡大図である。
【図５】図５は、コネクタを水平方向に切断した端子圧入配置部周辺の断面図である。
【図６】図６は、それぞれ異なる方向から視た端子の図である。
【図７】図７は、フラット回路体の端末部をコネクタハウジング内にスライドしながら挿入する様子を示したものであり、フラット回路体および端子を仮想線で示し、端子圧入配置部の内壁面を実線で示した図である。
【図８】図８は、（ａ）が図７を端子の実装部側から視た斜視図であり、（ｂ）が（ａ）の一対の第二突出圧入部のうち、一方の第二突出圧入部周辺を拡大した図であり、（ｃ）が図７を端子圧入配置部への圧入口側から視た図であり、（ｄ）が（ｃ）の一対の第二突出圧入部のうち、一方の第二突出圧入部周辺を拡大した図である。
【図９】図９は、変形例の端子をそれぞれ異なる方向から視た図である。
【図１０】図１０は、従来技術の問題点を説明するための図である。
【発明を実施するための形態】
【００１５】
以下、図面を参照して、本発明に係るフラット回路体とコネクタの接続構造の好適な実施例を詳細に説明する。
【実施例】
【００１６】
図１は、（ａ）が本発明の実施例に係るフラット回路体とコネクタの接続構造１の分解斜視図であり、（ｂ）が（ａ）に示した端子８０の拡大斜視図である。図２は、電極１１と端子８０を接続完了した状態のフラット回路体１０およびコネクタ６０の側面図である。図３は、（ａ）がコネクタハウジング７０をフラット回路体１０の挿入側とは逆側から視た図であり、（ｂ）が（ａ）の端子圧入配置部７３周辺を拡大した図である。図４は、図２（ｂ）に対応した端子圧入配置部７３に端子８０を圧入固定した端子圧入配置部７３周辺の拡大図である。図５は、コネクタ６０を水平方向に切断した端子圧入配置部７３周辺の断面図である。図６は、それぞれ異なる方向から視た端子８０の図である。
本発明の実施例に係るフラット回路体とコネクタの接続構造１は、フラット回路体１０の端末部１０ａをコネクタ６０のコネクタハウジング７０内にスライドしながら挿入することによって、端末部１０ａに形成した電極１１と、コネクタハウジング７０内に圧入固定した端子８０と、を接続するものである。
なお、本発明の実施例では説明の便宜上、図中矢印に示すように上下および水平方向を定義し、水平方向が一対の突出圧入部９３、９３の突出方向に対応し、上下方向が一対の突出圧入部９３、９３の突出方向に直交する方向を示しているが、方向はこれに限定しない。例えば、水平方向が一対の突出圧入部９３、９３の突出方向に直交する方向としてもよい。
【００１７】
まず、フラット回路体１０について説明する。
フラット回路体１０は、例えば、フレキシブルプリント配線板によって実現する。このフラット回路体１０は、絶縁性樹脂シートの上に導電性の金属膜によって回路配線を形成し、この回路配線を保護するように絶縁樹脂性シートの表面を絶縁保護フィルムによって覆った平板状可撓性の回路基板である。
また、フラット回路体１０は、端末部１０ａの下面に回路配線として複数の電極１１を並べて形成し、絶縁保護フィルムの一部を除去することによって各電極１１の接続面を露出している。このようにして外部に露出した各電極１１がコネクタ６０に設けた各端子８０に接続するようになっている。
また、フラット回路体１０は、複数の電極１１が露出される側とは反対側の面に補強板１２を貼り付けている。この補強板１２は、フラット回路体１０の端末部１０ａに貼り付けることによって端末部１０ａを補強するものである。
さらに、フラット回路体１０は、端末部１０ａにフラット回路体１０を貫通する一対の係合孔１３、１３を形成している。この一対の係合孔１３、１３の各係合孔１３は、スライドガイド部材２０に設けた不図示の一対の係合突起のそれぞれに係合するようになっている。
【００１８】
次に、スライドガイド部材２０について説明する。
スライドガイド部材２０は、合成樹脂等の絶縁性樹脂材からなり、外郭が略直方体形状をなし、フラット回路体１０の端末部１０ａに組み付ける部分となる回路体組付部３０と、コネクタハウジング７０のロック用突起７７に係合してスライドガイド部材２０をコネクタハウジング７０に固定する部分となる接続ロック部４０と、コネクタ６０にスライドしながら挿入する際の取っ手部分となる操作用取手部５０と、を有する。
【００１９】
回路体組付部３０は、フラット回路体１０の一対の係合孔１３、１３に係合する不図示の一対の係合突起を形成し、フラット回路体１０を一対の係合突起によって位置決めしつつ上下から挟持するように固定する回路体固定部３１と、回路体固定部３１のフラット回路体１０に対して上側の面を挿入方向に向けて延在するように突出しフラット回路体１０の端末部１０ａとともにコネクタハウジング７０内に挿入する部分であるハウジング挿入部３２と、を有する。
【００２０】
接続ロック部４０は、支点に対してシーソーのように弾性的に可動する可動部４１を有する。可動部４１は、前端側にコネクタハウジング７０のロック用突起７７と係合するロックアーム部４１ａを設け、後端側にロックアーム部４１ａのロック用突起７７との係合を解除するためのロック解除操作部４１ｂを設けている。
【００２１】
このような接続ロック部４０は、可動部４１が弾性的に中立な状態では、ロックアーム部４１ａがロック用突起７７と係合するように位置し、ロック解除操作部４１ｂを下方に押圧操作することによって、ロックアーム部４１ａがロック用突起７７との係合を解除できるようにその端部を上方に向けて傾けるようになっている。
【００２２】
次に、コネクタ６０について説明する。
コネクタ６０は、コネクタハウジング７０と、コネクタハウジング７０内に圧入固定した複数の端子８０と、を有し、一対の固定金具１００によって回路基板２００等の固定先にコネクタハウジング７０を固定するようになっている。
【００２３】
コネクタハウジング７０は、合成樹脂等の絶縁性樹脂材からなり、外郭が略直方体形状をなす。
このコネクタハウジング７０は、複数の端子８０を内部に圧入固定し、フラット回路体１０の端末部１０ａを挿入する挿入口７１からフラット回路体１０をコネクタハウジング７０内に挿入完了した位置で、スライドガイド部材２０と上面に設けたロック用突起７７を介して係合することによって各電極１１と各端子８０を接続した状態でフラット回路体１０を固定するようになっている。
【００２４】
また、コネクタハウジング７０は、挿入口７１からコネクタハウジング７０内に端末部１０ａを挿入するための挿入空間７２を内部に形成し、挿入空間７２に挿入した端末部１０ａの下方に複数の電極１１に対応した並びで複数の端子８０を圧入固定する端子圧入配置部７３を設けている。
【００２５】
端子圧入配置部７３は、端子８０の圧入固定部９０を圧入固定するため圧入固定部９０を上下方向、および、水平方向で圧入固定部９０を間にして向かい合う内壁面７４を形成している。以下、水平方向で互いに向かい合う内壁面７４を第一対向内壁面７４ａ、７４ａと称する。また、第一対向内壁面７４ａ、７４に略直交する方向で向かい合う内壁面７４を第二対向内壁面と称し、下側の第二対向内壁面に７４ｂと符号を付し、上側の第二対向内壁面に７４ｃと符号を付して区別できるようにしている。
【００２６】
また、コネクタハウジング７０の長手方向両側部には、各固定金具１００を嵌め込んで固定する金具固定部７５、７５を設けている。この金具固定部７５に固定した各固定金具１００を回路基板２００に固定することによって、コネクタハウジング７０を固定先となる回路基板２００に固定するようになっている。
【００２７】
また、コネクタハウジング７０の長手方向の各端部には、回路基板２００に対してコネクタハウジング７０が固定金具１００を支点として回転することを防止する一対の回転防止リブ７６、７６をそれぞれ設けている。
この一対の回転防止リブ７６、７６は、固定金具１００を間にして前方、および後方のそれぞれに突出するように設け、かつ、底面がコネクタハウジング７０の底面の一部を構成するようになっている。
すなわち、一対の回転防止リブ７６、７６は、固定金具１００を間にして互いに逆方向に突出し、かつ、コネクタハウジング７０の底面の一部を構成することによって、固定金具１００を間にして固定先となる回路基板２００への接地面積を拡大している。このため、コネクタハウジング７０が固定金具１００を支点として回転しようとした場合、左右それぞれの回転方向に対して一対の回転防止リブのそれぞれの底面が回転を阻止するように回路基板２００に当接するようになっている。
【００２８】
このような一対の回転防止リブ７６、７６は、図２中矢印Ｔに示すように、例えば、コネクタ６０に接続しているフラット回路体１０を上下方向に引っ張ることによって、固定金具１００を支点として回転する力がコネクタハウジング７０に作用した場合であっても、回転防止リブ７６、７６の底面がコネクタハウジング７０の回転を防止し、結果的に、回路基板２００に半田付けした端子８０の半田が損傷することを防止している。
【００２９】
なお、この実施例では、コネクタハウジング７０の長手方向の各端部に前方、および、後方のそれぞれに突出するように一対の回転防止リブ７６、７６を設けるものを例示したが、これに限らず、固定金具１００を間にして互いに逆方向に突出し、かつ、コネクタハウジング７０の底面の一部を構成する少なくとも一対の回転防止リブ７６、７６を設けるようにすればよい。
【００３０】
端子８０は、ピン状の金属部材を曲げ加工等を施すことによって所定形状に形成したものであり、コネクタハウジング７０内の端子圧入配置部７３に圧入固定する圧入固定部９０から電極１１に向けて傾斜状に延びることで電極１１に弾性的に接触する部分となる弾性接触片部８０ａ、および、圧入固定部９０を間にして弾性接触片部８０ａとは逆側にコネクタハウジング７０の固定先となる回路基板に実装する部分となる実装部８０ｂを含む。
【００３１】
弾性接触片部８０ａは、への字状に屈曲した屈曲部分周辺が電極１１に接触するようになっている。この弾性接触片部８０ａは、フラット回路体１０の端末部１０ａをコネクタハウジング７０内にスライドしながら挿入すると、端末部１０ａから負荷される荷重によって下方に向けて弾性的にたわむため、弾性復元力によって電極１１に接触した状態を保持できるようになっている。
【００３２】
圧入固定部９０は、弾性接触片部８０ａと実装部８０ｂとの間で圧入方向に沿って連続する部分となる固定本体部９１と、固定本体部９１の両側部から突出する一対の突出圧入部として、固定本体部９１の延在方向で互いに離間した設けた一対の第一突出圧入部９２、９２、および、一対の第二突出圧入部９３、９３を有する。
【００３３】
一対の第一突出圧入部９２、９２は、固定本体部９１の延在方向で弾性接触片部８０ａ側の両側部から水平方向に突出し、端子圧入配置部７３の互いに向かい合う水平対向内壁面７４ａ、７４ａに接触することよって、圧入固定部９０が端子圧入配置部７３で圧入固定されるようになっている。
このため、圧入固定部９０を端子圧入配置部７３に圧入すると、一対の第一突出圧入部９２、９２が水平方向でのガタツキを抑えるようになっている。
【００３４】
一対の第二突出圧入部９３、９３は、固定本体部９１の延在方向で実装部８０ｂ側の両側部から水平方向に突出している。
この一対の第二突出圧入部９３、９３は、端子圧入配置部７３に圧入固定した状態で、固定本体部９１の両側部から端子圧入配置部７３の各第一対向内壁面７４ａ、７４ａに向けて水平方向に突出することによって第一対向内壁面７４ａ、７４ａに接触し、かつ、第一対向内壁面７４ａ、７４ａに略直交する方向で向かい合う端子圧入配置部７３の一対の第二対向内壁面７４ｂ、７４ｃの一方の第二対向内壁面７４ｂから側部からの突出方向に向けて漸次離れる第一の面９３ａ、および、他方の第二対向内壁面７４ｃに側部からの突出方向に向けて漸次近づける第二の面９３ｂを形成する。
【００３５】
なお、この実施例では、圧入固定部９０は、一対の第二突出圧入部９３、９３を形成した部分の一対の第二突出圧入部９３、９３が突出する方向の断面が略Ｕ字形状になっている。このため、一対の第二突出圧入部９３、９３は、曲げ加工によって容易に成形することができるようになっている。
【００３６】
このような圧入固定部９０は、圧入固定部９０が一対の第二突出圧入部９３、９３が互いに逆向きに側方に突出してそれぞれ第一対向内壁面７４ａ、７４ａに接触しつつ、一対の第二突出圧入部９３、９３の間の部分が一対の第二対向内壁面７４ｂ、７４ｃの一方の面７４ｂに対峙する面を形成し、かつ、他方の面７４ｃに対峙する面９３ｂを突出方向に向けて他方の第二対向内壁面７４ｃに漸次近づけることによって、一対の第二対向内壁面７４ｂ、７４ｃが向かい合う方向で端子圧入配置部７３との隙間が小さくなるようにし、しかも、一対の第二対向内壁面７４ｂ、７４ｃのそれぞれに接触する面の面積を小さく抑えるようにしている。
これにより、圧入固定部９０の一対の第二突出圧入部９３、９３を形成した部分では、コネクタハウジング７０内で互いに直交する方向でのガタツキを抑えることができるようになっている。
【００３７】
また、圧入固定部９０は、一対の第二突出圧入部９３、９３の第一の面９３ａを突出方向に向けて端子圧入配置部７３の下側内壁面７４ｂから上方に向けて漸次離れるように形成し、一対の第二突出圧入部９３、９３の上面９３ｂを突出方向に向けて端子圧入配置部７３の上側内壁面７４ｃに漸次近づけるように形成しているので、端子圧入配置部７３の下側内壁面７４ｂおよび上側内壁面７４ｃのそれぞれに接触する面の面積を小さく抑えるようにしているため、端子圧入配置部に端子を圧入する際に端子が端子圧入配置部の内壁面に干渉し難くなっている。
【００３８】
実装部８０ｂは、弾性接触片部８０ａとは逆方向に固定本体部９１からクランク状に屈曲して延び、固定本体部９１に対して略平行に延びる線上に沿って形成した端部を回路基板２００にはんだ付けによって実装するようになっている。
【００３９】
次に、図７および図８を用いて、フラット回路体１０の端末部１０ａをコネクタハウジング７０内にスライドしながら挿入することによって、電極１１に接続する端子８０の動作について説明する。
図７は、フラット回路体１０の端末部１０ａをコネクタハウジング７０内にスライドしながら挿入する様子を示したものであり、フラット回路体１０および端子８０を仮想線で示し、端子圧入配置部７３の内壁面７４を実線で示した図である。図８は、（ａ）が図７を端子８０の実装部８０ｂ側から視た斜視図であり、（ｂ）が（ａ）の一対の第二突出圧入部９３、９３のうち、一方の第二突出圧入部９３周辺を拡大した図であり、（ｃ）が図７を端子圧入配置部７３への圧入口側から視た図であり、（ｄ）が（ｃ）の一対の第二突出圧入部９３、９３のうち、一方の第二突出圧入部９３周辺を拡大した図である。
【００４０】
フラット回路体１０の端末部１０ａをコネクタハウジング７０内にスライドしながら挿入すると、端末部１０ａが端子８０の弾性接触片部８０ａに上方から接触することによって、弾性接触片部８０ａが弾性的に下方にたわむように端子８０に荷重が作用する。
【００４１】
これにより、圧入固定部９０を支点として実装部８０ｂが上方に傾くように荷重が作用するものの、一対の第二突出圧入部９３、９３が突出方向に向けて端子圧入配置部７３の上側内壁面７４ｃに漸次近づける上面９３ｂを形成し、圧入固定部９０が、端子圧入配置部７３の上下の内壁面７４ｂ、７４ｃに対してもできるだけ近づくようになっているので、端子圧入配置部７３での圧入固定部９０の上下方向のガタツキが抑えられる。
【００４２】
本発明の実施例に係るフラット回路体とコネクタの接続構造１は、圧入固定部９０が一対の第二突出圧入部９３、９３が互いに逆向きに側方に突出してそれぞれ第一対向内壁面７４ａ、７４ａに接触しつつ、一対の第二突出圧入部９３、９３の間の部分が一対の第二対向内壁面７４ｂ、７４ｃの一方の面７４ｂに対峙する面を形成し、かつ、他方の面７４ｃに対峙する面９３ｂを突出方向に向けて他方の第二対向内壁面７４ｃに漸次近づけることによって、一対の第二対向内壁面７４ｂ、７４ｃが向かい合う方向で端子圧入配置部７３との隙間が小さくなるようにし、しかも、一対の第二対向内壁面７４ｂ、７４ｃのそれぞれに接触する面の面積を小さく抑えるようにしているため、端子圧入配置部７３に端子８０を圧入する際に端子８０が端子圧入配置部７３の内壁面７４に干渉し難くなっているので、コネクタハウジング７０内で互いに直交する方向での端子８０のガタツキを小さく抑えることによって端子８０と端子８０の実装先との接続定性を向上することができ、しかも、端子８０をコネクタハウジング７０内に圧入し難くなることを防ぐことができる。
【００４３】
また、本発明の実施例に係るフラット回路体とコネクタの接続構造１は、圧入固定部９０の一対の突出圧入部としての一対の第二突出圧入部９３、９３を形成した部分を曲げ加工によって容易に成形することができる。
【００４４】
また、本発明の実施例に係るフラット回路体とコネクタの接続構造１は、一対の回転防止リブ７６、７６が、固定金具１００を間にして互いに逆方向に突出し、かつ、コネクタハウジング７０の底面の一部を構成することによって、固定金具１００を間にしてコネクタハウジング７０の固定先への接地面積を拡大しているため、コネクタハウジング７０が固定金具１００を支点として回転しようとした場合、左右それぞれの回転方向に対して一対の回転防止リブ７６、７６のそれぞれの底面が回転を阻止するように固定先に当接するようになっているので、端子８０が固定先に半田付けされている場合であっても、コネクタハウジング７０の回転による端子８０への負荷によって半田が損傷することを防ぐことができ、結果的に、端子８０と固定先との電気的接続の低下を防止することができる。
【００４５】
なお、本発明の実施例に係るフラット回路体とコネクタの接続構造１は、圧入固定部９０、９４が固定本体部９０の両側部から突出する一対の突出圧入部として、一対の第一突出圧入部９２、９２と、一対の第二突出圧入部９３、９３と、を有するものを例示したが、これに限らず、一対の突出圧入部として少なくとも一対の第二突出圧入部９３、９３を有していればよい。
（変形例）
【００４６】
次に、図９を用いて本発明の実施例に係るフラット回路体とコネクタの接続構造１の端子の変形例について説明する。
図９は、変形例の端子８１をそれぞれ異なる方向から視た図である。
この変形例の端子８１は、一対の第二突出圧入部９５、９５の形状が実施例の端子と異なる。
なお、その他の構成は実施例の端子と同様であり、実施例と同一構成部分には同一符号を付している。
【００４７】
この変形例の端子８１は、一対の第二突出圧入部９５、９５が固定本体部９１の延在方向で実装部８０ｂ側の両側部から水平方向に突出している。
この一対の第二突出圧入部９５、９５は、端子圧入配置部７３に圧入固定した状態で、固定本体部９１の両側部から端子圧入配置部７３の各第一対向内壁面７４ａ、７４ａに向けて水平方向に突出することによって第一対向内壁面７４ａ、７４ａに接触し、かつ、第一対向内壁面７４ａ、７４ａに略直交する方向で向かい合う端子圧入配置部７３の一対の第二対向内壁面７４ｂ、７４ｃの一方の第二対向内壁面７４ｂから側部からの突出方向に向けて漸次離れる第一の面９５ａ、および、他方の第二対向内壁面７４ｃに側部からの突出方向に向けて漸次近づける第二の面９５ｂを形成する。
なお、一対の第二突出圧入部９５、９５の第一の面９５ａ、および、第二の面９５ｂが傾斜面になっている。
【００４８】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００４９】
１      フラット回路体とコネクタの接続構造
１０    フラット回路体
１０ａ  端末部
１１    電極
１２    補強板
１３    係合孔
２０    スライドガイド部材
３０    回路体組付部
３１    回路体固定部
３２    ハウジング挿入部
４０    接続ロック部
４１    可動部
４１ａ  ロック用アーム部
４１ｂ  ロック解除操作部
５０    操作用取手部
６０    コネクタ
７０    コネクタハウジング
７１    挿入口
７２    挿入空間
７３    端子圧入配置部
７４    内壁面
７４ａ  第一対向内壁面（内壁面）
７４ｂ、７４ｃ  第二対向内壁面（内壁面）
７５    金具固定部
７６    回転防止リブ
７７    ロック用突起
８０、８１  端子
８０ａ  弾性接触片部
８０ｂ  実装部
９０、９４  圧入固定部
９１    固定本体部
９２    第一突出圧入部
９３、９５  第二突出圧入部（突出圧入部）
９３ａ、９５ａ  第一の面
９３ｂ、９５ｂ  第二の面
１００  固定金具
２００  回路基板
【図１】
2017004859.tif 000003
【図２】
2017004859.tif 000004
【図３】
2017004859.tif 000005
【図４】
2017004859.tif 000006
【図５】
2017004859.tif 000007
【図６】
2017004859.tif 000008
【図７】
2017004859.tif 000009
【図８】
2017004859.tif 000010
【図９】
2017004859.tif 000011
【図１０】
2017004859.tif 000012